(57)【要約】【課題】車内の温度上昇等に起因して発生する人物、愛玩動物等の事故及び物品等の破裂又は変形を防止することができる車両用制御システムを提供すること。【解決手段】ＲＦＩＤタグ２２を保持した幼児等が車内に存在することを無線タグ検出手段４により検出し、且つ温度センサ１０で測定した車内の温度が予め設定されている温度を超えた場合に、車両用制御装置２に備えた制御手段７が温度センサ１０を含む各種搭載機器の動作を制御することにより、車内の温度調節を自動的に行う。【選択図】図１
2006224894.tif 000002
【特許請求の範囲】
【請求項１】
無線通信機能を備えた無線タグを検出する無線タグ検出手段と、
車両に備えた搭載機器を制御する制御手段とを有し、
前記制御手段は、前記無線タグ検出手段による前記無線タグの検出有無情報と前記搭載機器から得られる車両管理情報とに基づき、車内に異常があるか否かを判定し、異常があるとの判定がなされたときに、前記搭載機器を制御することを特徴とする車両用制御装置。
【請求項２】
外部から前記制御手段の制御動作内容を設定する入力手段と、
前記入力手段にて前記制御手段に設定された前記制御動作内容を表示する表示手段とを有することを特徴とする請求項１記載の車両用制御装置。
【請求項３】
前記制御手段は、前記無線タグ検出手段にて検出した無線タグが前記入力手段にて予め設定された識別子を持つ無線タグと一致する場合に、前記車内に異常があるか否かを判定し、異常があるとの判定がなされたときに、前記搭載機器を制御することを特徴とする請求項２記載の車両用制御装置。
【請求項４】
前記車両管理情報が車内の測定温度情報であり、
前記制御手段は、前記測定温度情報の測定温度が予め設定された温度を超えているか否かを判定し、前記温度を超えているときに前記搭載機器を制御することを特徴とする請求項1乃至３のいずれかに記載の車両用制御装置。
【請求項５】
前記制御手段は、前記搭載機器を予め設定された時間の経過後に制御を開始することを特徴とする請求項１乃至４のいずれかに記載の車両用制御装置。
【請求項６】
前記搭載機器は、車内の温度を調節する空調手段を有することを特徴とする請求項１乃至５のいずれかに記載の車両用制御装置。
【請求項７】
前記搭載機器は、車両に備えた窓、サンルーフ又はドアを開閉する開閉手段を有することを特徴とする請求項１乃至５のいずれかに記載の車両用制御装置。
【請求項８】
前記搭載機器は、光を発する発光手段又は音を発する鳴動手段を有することを特徴とする請求項１乃至５のいずれかに記載の車両用制御装置。
【請求項９】
前記搭載機器は、無線通信機能を備えた情報通信手段を有し、
前記制御手段は、前記車内に異常があるとの判定がなされたときに、前記車両管理情報を前記情報通信手段にて予め設定された通知先へ通知することを特徴とする請求項１乃至５のいずれかに記載の車両用制御装置。
【請求項１０】
前記搭載機器は、車内の音声を録音する録音手段又は車内の映像を撮影する撮影手段を有し、
前記制御手段は、前記車内に異常があるとの判定がなされたときに、前記録音手段又は前記撮影手段にて記録した前記車内の音声情報又は映像情報を、予め設定された通知先へ通知することを特徴とする請求項１乃至５のいずれかに記載の車両用制御装置。
【請求項１１】
前記搭載機器は、車両の現在地情報を取得する位置情報取得手段を有し、
前記制御手段は、前記車内に異常があるとの判定がなされたときに、前記位置情報取得手段にて取得した車両の現在地情報を、予め設定された通知先へ通知することを特徴とする請求項１乃至５のいずれかに記載の車両用制御装置。
【請求項１２】
無線通信機能を備え、物体に保持される無線タグと、
車両に備えられる車両用制御装置とを有しており、
前記車両用制御装置は、前記無線タグを検出する無線タグ検出手段と、
車両に備えた搭載機器を制御する制御手段とを有し、
前記制御手段は、前記無線タグ検出手段による前記無線タグの検出有無情報と前記搭載機器から得られる車両管理情報とに基づき、車内に異常があるか否かを判定し、異常があるとの判定がなされたときに、前記搭載機器を制御することを特徴とする車両用制御システム。
【請求項１３】
無線通信機能を備えた無線タグの検出有無情報を読み出すステップと、
車両に備えた搭載機器から車両管理情報を読み出すステップと、
前記無線タグの検出有無情報と前記車両管理情報とに基づき、車内に異常があるか否かを判定するステップと、
前記異常があるとの判定がなされたときに、前記搭載機器を制御するステップとを有することを特徴とする車両用制御方法。
【請求項１４】
外部から前記制御の動作内容を設定するステップと、
設定された前記制御の動作内容を表示するステップとを有することを特徴とする請求項１３記載の車両用制御方法。
【請求項１５】
検出された前記無線タグが予め設定された識別子を持つ無線タグと一致する場合に、前記車内に異常があるか否かを判定し、異常があるとの判定がなされたときに、前記搭載機器を制御することを特徴とする請求項１３又は１４記載の車両用制御方法。
【請求項１６】
前記車両管理情報が車内の測定温度情報であり、前記測定温度情報の測定温度が予め設定された温度を超えているか否かを判定し、前記温度を超えているときに前記搭載機器を制御することを特徴とする請求項１３乃至１５のいずれかに記載の車両用制御方法。
【請求項１７】
前記搭載機器を予め設定された時間の経過後に制御するステップを有することを特徴とする請求項１３乃至１６のいずれかに記載の車両用制御方法。
【請求項１８】
請求項１乃至１１のいずれかに記載の車両用制御装置を有する電子機器。
【請求項１９】
前記電子機器が携帯電話であることを特徴とする請求項１８記載の電子機器。
【請求項２０】
第１の搭載機器を有する車両側装置と組み合わせて用いる携帯電話であって、
前記携帯電話は、無線通信機能を備えた無線タグを検出する無線タグ検出手段と、
前記第１の搭載機器を制御する制御手段と、
外部から前記制御手段の制御動作内容を設定する入力手段と、
前記入力手段にて前記制御手段に設定された制御動作内容を表示する表示手段と、
前記第１の搭載機器と異なる第２の搭載機器とを有しており、
前記制御手段は、前記入力手段にて入力された前記制御動作内容を前記表示手段に表示するとともに、前記無線タグ検出手段による前記無線タグの検出有無情報と前記第１の搭載機器及び前記第２の搭載機器の少なくとも一方から得られる車両管理情報にて車内に異常があるか否かを判定し、異常があるとの判定がなされたときに、前記第１の搭載機器及び前記第２の搭載機器の少なくとも一方を制御することを特徴とする請求項１９記載の電子機器。
【発明の詳細な説明】
【技術分野】
【０００１】
本発明は、自動車等の車両の内部（以下、車内という）で温度上昇等による異常環境により発生する事故を防止する車両用制御装置、車両用制御システム、車両用制御方法及び電子機器に関するものである。
【背景技術】
【０００２】
従来の車両用制御システムは、座席下部に設けた乗員検知センサと、車内の温度を測定する車内温度センサとを有し、座席に座った子供等の乗員の体重により車内に乗員が居るか否かを判定して、乗員が居るとの判定がなされれば、車内の温度が所定値以上に達したか否かを判定し、所定値以上になれば、車内温度センサの出力に基づいて車内の温度調節等を行っている（例えば、特許文献１参照）。
【特許文献１】特開平１０−２７８５６４号公報
【発明の開示】
【発明が解決しようとする課題】
【０００３】
しかしながら、従来の車両用制御システムにおいては、乗員検知センサが乗員の体重にて反応するようになっているため、乗員の着座位置により座席下部に設けた乗員検知センサの反応がばらつくおそれがあり、また、所定の体重に満たない乗員が居ることを検出することができなかった。
【０００４】
そのため、車内が所定値以上に温度上昇してしまい、車内における人身事故を十分に防止することができないという課題があった。
【０００５】
本発明は、従来の問題を解決するためになされたもので、人物の着座位置等や、着座した人物の体重等の影響を受けることなく、人身事故等を十分に防止することのできる車両用制御装置、車両用制御システム、車両用制御方法及び電子機器を提供することを目的とする。
【課題を解決するための手段】
【０００６】
本発明の車両用制御装置は、無線通信機能を備えた無線タグを検出する無線タグ検出手段と、車両に備えた搭載機器を制御する制御手段とを有し、前記制御手段は、前記無線タグ検出手段による前記無線タグの検出有無情報と前記搭載機器から得られる車両管理情報とに基づき、車内に異常があるか否かを判定し、異常があるとの判定がなされたときに、前記搭載機器を制御する構成を有する。
【０００７】
この構成により、人物の着座位置等や、着座した人物の体重等の影響を受けなくすることができる。
【０００８】
また、本発明の車両用制御装置は、外部から前記制御手段の制御動作内容を設定する入力手段と、前記入力手段にて前記制御手段に設定された前記制御動作内容を表示する表示手段とを備えた構成を有する。
【０００９】
この構成により、入力された制御動作内容を確認しながら設定することができる。
【００１０】
また、本発明の車両用制御装置は、前記制御手段が、前記無線タグ検出手段にて検出した無線タグが前記入力手段にて予め設定された識別子を持つ無線タグと一致する場合に、前記車内に異常があるか否かを判定し、異常があるとの判定がなされたときに、前記搭載機器を制御する構成を有する。
【００１１】
この構成により、予め設定された識別子ではない無線タグを検出することによる搭載機器の異常回避のための不必要な処理を防止することができる。
【００１２】
また、本発明の車両用制御装置は、前記車両管理情報が、車内の測定温度情報であり、前記制御手段が、前記測定温度情報の測定温度が予め設定された温度を超えているか否かを判定し、前記温度を超えているときに前記搭載機器を制御する構成を有する。
【００１３】
この構成により、危険状態を招く温度の違いによる搭載機器の異常回避のための不必要な処理を防止することができる。
【００１４】
また、本発明の車両用制御装置は、前記制御手段が、前記搭載機器を予め設定された時間の経過後に制御を開始する構成を有する。
【００１５】
この構成により、搭載機器を操作できる人物が車両から一旦離れ、設定時間内に戻って来ることが予め判っている場合に、車両から離れた間における搭載機器の異常回避のための不必要な処理を防止することができる。
【００１６】
また、本発明の車両用制御装置は、前記搭載機器が、車内の温度を調節する空調手段を備えた構成を有する。
【００１７】
この構成により、車内温度を危険のおそれのない温度まで自動的に下げることができる。
【００１８】
また、本発明の車両用制御装置は、前記搭載機器が、車両に備えた窓、サンルーフ又はドアを開閉する開閉手段を備えた構成を有する。
【００１９】
この構成により、車内の換気を自動的に行うことができる。
【００２０】
また、本発明の車両用制御装置は、前記搭載機器が、光を発する発光手段又は音を発する鳴動手段を備えた構成を有する。
【００２１】
この構成により、車内に異常状態が発生していることを車両の周囲に対して知らせ、救助を自発的に求めることができる。
【００２２】
また、本発明の車両用制御装置は、前記搭載機器が、無線通信機能を備えた情報通信手段を有し、前記制御手段が、前記車内に異常があるとの判定がなされたときに、前記車両管理情報を前記情報通信手段にて予め設定された通知先へ通知する構成を有する。
【００２３】
この構成により、車内に異常状態が発生していることを通知先へ自動的に通知し、救助を自発的に求めることができる。
【００２４】
また、本発明の車両用制御装置は、前記搭載機器が、車内の音声を録音する録音手段又は車内の映像を撮影する撮影手段を有し、前記制御手段が、前記車内に異常があるとの判定がなされたときに、前記録音手段又は前記撮影手段にて記録した前記車内の音声情報又は映像情報を、予め設定された通知先へ通知する構成を有する。
【００２５】
この構成より、通知を受けた救助者が、車内の状況を明確に把握することができる。
【００２６】
また、本発明の車両用制御装置は、前記搭載機器が、車両の現在地情報を取得する位置情報取得手段を有し、前記制御手段が、前記車内に異常があるとの判定がなされたときに、前記位置情報取得手段にて取得した車両の現在地情報を、予め設定された通知先へ通知する構成を有する。
【００２７】
この構成により、通知を受けた救助者が、特定の車両の位置を把握することができて、救助活動の迅速化を図ることができる。
【００２８】
また、本発明の車両用制御システムは、無線通信機能を備え、物体に保持される無線タグと、車両に備えられる車両用制御装置とを有しており、前記車両用制御装置は、前記無線タグを検出する無線タグ検出手段と、車両に備えた搭載機器を制御する制御手段とを有し、前記制御手段は、前記無線タグ検出手段による前記無線タグの検出有無情報と前記搭載機器から得られる車両管理情報とに基づき、車内に異常があるか否かを判定し、異常があるとの判定がなされたときに、前記搭載機器を制御する構成を有する。
【００２９】
この構成により、人物の着座位置等や、着座した人物の体重等の影響を受けなくすることができる。
【００３０】
また、本発明の車両用制御方法は、無線通信機能を備えた無線タグの検出有無情報を読み出すステップと、車両に備えた搭載機器から車両管理情報を読み出すステップと、前記無線タグの検出有無情報と前記車両管理情報とに基づき、車内に異常があるか否かを判定するステップと、前記異常があるとの判定がなされたときに、前記搭載機器を制御するステップとを備えた構成を有する。
【００３１】
この構成により、人物の着座位置等や、着座した人物の体重等の影響を受けなくすることができる。
【００３２】
また、本発明の車両用制御方法は、外部から前記制御の動作内容を設定するステップと、設定された前記制御の動作内容を表示するステップとを備えた構成を有する。
【００３３】
この構成により、制御の動作内容を確認しながら設定することができる。
【００３４】
また、本発明の車両用制御方法は、検出された前記無線タグが予め設定された識別子を持つ無線タグと一致する場合に、前記車内に異常があるか否かを判定し、異常があるとの判定がなされたときに、前記搭載機器を制御する構成を有する。
【００３５】
この構成により、予め設定された識別子ではない無線タグを検出することによる搭載機器の異常回避のための不必要な処理を防止することができる。
【００３６】
また、本発明の車両用制御方法は、前記車両管理情報が、車内の測定温度情報であり、前記測定温度情報の測定温度が予め設定された温度を超えているか否かを判定し、前記温度を超えているときに前記搭載機器を制御する構成を有する。
【００３７】
この構成により、危険状態を招く温度の違いによる搭載機器の異常回避のための不必要な処理を防止することができる。
【００３８】
また、本発明の車両用制御方法は、前記搭載機器を予め設定された時間の経過後に制御するステップを備えた構成を有する。
【００３９】
この構成により、搭載機器を操作できる人物が、車両から一旦離れ、設定時間内に戻って来ることが予め判っている場合に、車両から離れた間における搭載機器の異常回避のための不必要な処理を防止することができる。
【００４０】
また、本発明の電子機器は、前記車両用制御装置を備えた構成を有する。
【００４１】
この構成により、人物の着座位置等や、着座した人物の体重等の影響を受けなくすることができる。
【００４２】
また、本発明の電子機器は、前記電子機器が携帯電話である構成を有する。
【００４３】
この構成により、電子機器のうち普及率が高く、且つ手軽に持ち運べる携帯電話を利用することによって、人物の着座位置等や、着座した人物の体重等の影響を受けなくすることができる。
【００４４】
また、本発明の電子機器は、第１の搭載機器を有する車両側装置と組み合わせて用いる携帯電話であって、前記携帯電話が、無線通信機能を備えた無線タグを検出する無線タグ検出手段と、前記第１の搭載機器を制御する制御手段と、外部から前記制御手段の制御動作内容を設定する入力手段と、前記入力手段にて前記制御手段に設定された制御動作内容を表示する表示手段と、前記第１の搭載機器と異なる第２の搭載機器とを有しており、前記制御手段が、前記入力手段にて入力された前記制御動作内容を前記表示手段に表示するとともに、前記無線タグ検出手段による前記無線タグの検出有無情報と前記第１の搭載機器及び前記第２の搭載機器の少なくとも一方から得られる車両管理情報にて車内に異常があるか否かを判定し、異常があるとの判定がなされたときに、前記第１の搭載機器及び前記第２の搭載機器の少なくとも一方を制御する構成を有する。
【００４５】
この構成により、人物の着座位置等や、着座した人物の体重等の影響を受けなくすることができる。また、携帯電話に備えた搭載機器を利用することで、入力手段にて入力された制御動作内容を確認しながら設定することができる。
【発明の効果】
【００４６】
本発明は、人物の着座位置等や、着座した人物の体重等の影響を受けることなく、人身事故等を十分に防止することができる車両用制御装置、車両用制御システム、車両用制御方法及び電子機器を提供することができるものである。
【発明を実施するための最良の形態】
【００４７】
以下、本発明の実施の形態について、図面を用いて説明する。
【００４８】
（実施の形態１）
・車両用制御システムの構成
図１に示すように、本発明の実施の形態１の車両用制御システム１は、車両用制御装置２、車両側装置３及び非接触ＩＣタグ等の無線タグ（以下、ＲＦＩＤタグ：Ｒａｄｉｏ  Ｆｒｅｑｕｅｎｃｙ  Ｉｄｅｎｔｉｆｉｃａｔｉｏｎ  Ｔａｇという）ＲＦＩＤタグ２２から構成されている。ここで、車両用制御装置２及び車両側装置３は、自動車等の車両に備えられているものとする。
【００４９】
車両用制御装置２は、無線タグ検出手段４、入力手段５、表示手段６及び制御手段７から構成されている。
【００５０】
車両側装置３は、機器管理手段８、車速センサ９、温度センサ１０、タイマー１１、車内の温度を調節する空調手段としてのエアコン１２、開閉手段としての開閉機器１３、ロック機器１４、光を発する発光手段としてのライト１５、音を発する鳴動手段としてのクラクション１６、車内の映像を撮影する撮影手段としてのカメラ１７、車内の音声を録音する録音手段としてのマイクロホン１８、車両の現在地情報を取得する位置情報取得手段としてのＧＰＳ機器１９、情報通信手段としての情報通信機器２０及びエンジン制御機器２１から構成されている。
【００５１】
一方、車内に存在する幼児等の人物（図示せず）は、ＲＦＩＤタグ２２を保持している。ここで、ＲＦＩＤタグ２２を幼児等に保持させる方法として、ＲＦＩＤタグ２２をおむつ、衣類、履物又は絆創膏等に組み込み、これを幼児等に着用させることで容易に実現できる。
【００５２】
無線タグ用の質問機である無線タグ検出手段４は、制御手段７からの制御信号を受信して通信相手のＲＦＩＤタグ２２と通信することで、ＲＦＩＤタグ２２が通信可能範囲内に存在するか否かを検出する。無線タグ検出手段４は、通信可能範囲内にＲＦＩＤタグ２２が存在しない場合、制御手段７に対しＲＦＩＤタグ２２が存在しない旨の出力信号を送出し、一方、ＲＦＩＤタグ２２が通信可能範囲内に存在する場合、存在するＲＦＩＤタグ２２の識別子を出力信号として送出する。
【００５３】
入力手段５は、入力内容毎に設けられた操作ボタン等からなり、入力内容に対応する操作ボタンへの外部からの押下動作により、入力内容を制御手段７に出力信号として送出する。車両用制御装置２の起動に対応する操作ボタンに対して外部から押下動作があるとき、入力手段５は、制御手段７に対して起動信号を送出する。
【００５４】
表示手段６は、制御手段７からの制御信号を受信し、制御動作内容に従った表示を行う。
【００５５】
制御手段７は、無線タグ検出手段４に対して制御信号を送出して通信可能範囲内におけるＲＦＩＤタグ２２の検出有無情報を取得する。また、制御手段７は、機器管理手段８に対して制御信号を送出して、機器管理手段８が、車両側に備えた搭載機器である車速センサ９、温度センサ１０、タイマー１１及び開閉機器１３から車両管理情報を取得する。そして、無線タグ検出手段４によるＲＦＩＤタグ２２の検出有無情報、機器管理手段８による車両管理情報及び入力手段５による入力内容に基づいて、車内に異常があるか否かの判定を行い、異常があれば制御手段７は、機器管理手段８に制御信号を送出して、エアコン１２、開閉機器１３、ロック機器１４、ライト１５、クラクション１６、カメラ１７、マイクロホン１８、ＧＰＳ機器１９、情報通信機器２０及びエンジン制御機器２１を制御する。さらに、制御手段７は、タイマー１１の起動情報、エアコン１２の起動情報、開閉機器１３の開閉情報、ロック機器１４のロック情報、ライト１５のライト情報、クラクション１６のクラクション情報及びエンジン制御機器２１のエンジン起動情報を管理する。各種情報の初期状態は次のとおりであるものとする。タイマー１１は停止、エアコン１２は停止、開閉機器１３は閉鎖、ロック機器１４は施錠、ライト１５は消灯、クラクション１６は停止及びエンジンは停止の状態である。
【００５６】
機器管理手段８は、制御手段７からの制御信号を受信すると、制御内容に従って車速センサ９、温度センサ１０、タイマー１１、エアコン１２、開閉機器１３、ロック機器１４、ライト１５、クラクション１６、カメラ１７、マイクロホン１８、ＧＰＳ機器１９、情報通信機器２０及びエンジン制御機器２１を制御し、制御結果を制御手段７に出力信号として送出する。
【００５７】
車速センサ９は、機器管理手段８から車両管理情報としての測定速度情報を読み出す旨の出力信号を受信すると、車両の走行速度を測定し、測定速度情報を機器管理手段８に出力信号として送出する。
【００５８】
温度センサ１０は、機器管理手段８から車両管理情報としての測定温度情報を読み出す旨の出力信号を受信すると、車内の温度を測定し、測定温度情報を機器管理手段８に出力信号として送出する。
【００５９】
タイマー１１は、機器管理手段８から起動する旨の出力信号を受信すると、時間の計測を開始し、一方、停止する旨の出力信号を受信すると、計測を停止する。また、車両管理情報としての経過時間を読み出す旨の出力信号を受信すると、経過時間を機器管理手段８に出力信号として送出する。さらに、タイマー１１は、経過時間をクリアする旨の出力信号を受信すると、経過時間をクリアする。
【００６０】
エアコン１２は、機器管理手段８から起動する旨の出力信号を受信すると、車内の温度調節を行い、一方、停止する旨の出力信号を受信すると、車内の温度調節を停止する。
【００６１】
開閉機器１３は、機器管理手段８から開放する旨の出力信号を受信すると、車両に備えた窓、サンルーフ又はドア（以下、窓等という）の開放動作を行い、一方、閉鎖する旨の出力信号を受信すると、窓等の閉鎖動作を行う。さらに、開閉機器１３は、窓等の開閉状態を読み出す旨の出力信号を受信すると、車両管理情報としての開閉状態の情報を機器管理手段８に出力信号として送出する。
【００６２】
ロック機器１４は、機器管理手段８から開錠する旨の出力信号を受信すると、窓等の開錠動作を行い、一方、施錠する旨の出力信号を受信すると、窓等の施錠動作を行う。
【００６３】
ライト１５は、機器管理手段８から点灯又は点滅を開始する旨の出力信号を受信すると、点灯又は点滅動作を行い、一方、点灯又は点滅を停止する旨の出力信号を受信すると、点灯又は点滅動作を停止する。
【００６４】
クラクション１６は、機器管理手段８から鳴動開始する旨の出力信号を受信すると、鳴動動作を行い、一方、鳴動停止する旨の出力信号を受信すると、鳴動動作を停止する。
【００６５】
カメラ１７は、機器管理手段８からの出力信号を受信すると、車内の写真又は所定の時間（例えば、１０秒）だけ車内の映像を撮影して、映像情報を機器管理手段８に出力信号として送出する。
【００６６】
マイクロホン１８は、機器管理手段８からの出力信号を受信すると、予め設定されている時間（例えば、１０秒）だけ車内の音声を録音して、音声情報を機器管理手段８に出力信号として送出する。
【００６７】
ＧＰＳ機器１９は、機器管理手段８からの出力信号を受信すると、車両の位置情報を取得して、取得した現在地情報を機器管理手段８に出力信号として送出する。
【００６８】
情報通信機器２０は、機器管理手段８からの出力信号を受信すると、予め設定されている通知先に機器管理手段８による車両管理情報、カメラ１７による映像情報、マイクロホン１８による音声情報及びＧＰＳ機器１９による現在地情報を送信する。
【００６９】
エンジン制御機器２１は、機器管理手段８から起動する旨の出力信号を受信すると、エンジンの起動動作を行い、一方、停止する旨の出力信号を受信すると、エンジンの停止動作を行う。
【００７０】
次に、入力手段５及び表示手段６を用いて制御手段７にＲＦＩＤタグ２２の識別子、異常状態となる温度、異常回避の処理を行うまでの時間及び無線通信により通知を行う通知先を設定する方法について、図２〜図７を用いて説明する。
【００７１】
・制御手段７への各種設定方法
図２に、表示手段６に表示される制御手段７の設定項目を示す。設定項目は、ＲＦＩＤタグ２２のタグ識別子登録、異常状態となる温度設定、異常回避の処理を行うまでの時間設定及び無線通信により通知を行う通知先設定であり、これらのいずれかを入力手段５により予め設定することで選択することができる。
【００７２】
まず、図３に、表示手段６のメニュー画面６１でタグ識別子登録が選択された場合のその設定項目の画面例を示す。設定項目は、新規登録、修正、削除及び登録識別子一覧であり、これらのいずれかを入力手段５で選択することにより予め設定することができる。ここで、新規登録は、車内に異常があるか否かを判定するときに用いるＲＦＩＤタグ２２の識別子の登録を行う。ＲＦＩＤタグ２２の識別子を入力手段５で直接入力することで制御手段７に設定する。なお、入力手段５でＲＦＩＤタグ２２の識別子を直接入力せずに無線タグ検出手段４でＲＦＩＤタグ２２の識別子を読み込み、読み込んだ識別子を制御手段７に設定してもよい。修正は、登録されているＲＦＩＤタグ２２の識別子の一部又は全てを変更することができる。削除は、登録されているＲＦＩＤタグ２２の識別子の一部又は全てを削除することができる。登録識別子一覧は、制御手段７に登録されているＲＦＩＤタグ２２の識別子を表示手段６に全て表示することができる。
【００７３】
図４に、表示手段６のタグ識別子登録画面でタグ識別子登録が選択された場合のその設定項目の画面例を示す。設定項目は、商品コード及び個別ＩＤであり、これらのいずれかを入力手段５で選択することにより予め設定することができる。ここで、商品コードは、商品種別に応じて定められているコードであり、一度設定しておけば商品コードが変更されない限り、対象となる同じ商品の車内放置による事故を防止できる。個別ＩＤは、商品種別の中で更に固有に持つＩＤであり、個々の商品を区別するため、同じ商品であっても車内放置の回避に必要なものに限定することができる。具体的には、幼児にＲＦＩＤタグ２２を有するおむつを着用させ、そのＲＦＩＤタグ２２の個別ＩＤを予め制御手段７に設定しておくことで、幼児が車内にいない状態で且つ車内に幼児に着用させていないおむつが放置されていた場合に、搭載機器による不必要な異常回避のための処理を避けることができる。
【００７４】
次に、図５に、表示手段６のメニュー画面６１で車内が異常状態となる温度設定が選択された場合のその設定項目の画面例を示す。設定項目は、一括設定及び個別設定であり、これらのいずれかを入力手段５で選択することにより予め設定することができる。ここで、一括設定は、ＲＦＩＤタグ２２の識別子に関係なく、入力手段５で入力された温度を制御手段７に一括設定することができる。個別設定は、ＲＦＩＤタグ２２の識別子毎に入力手段５で入力された温度を制御手段７に個別設定することができる。個別設定により、無線タグ検出手段４により検出されるＲＦＩＤタグ２２を保持する人物に応じた温度設定を行うことができる。
【００７５】
さらに、図６に、表示手段６のメニュー画面６１で時間設定が選択された場合のその設定項目の画面例を示す。この例では、１０分に設定した。この設定項目は、異常回避のための処理を行うまでの時間であり、これを入力手段５で入力することで制御手段７に設定することができる。
【００７６】
最後に、図７に、表示手段６のメニュー画面６１で通知先設定が選択された場合のそれに関する設定項目の画面例を示す。設定項目は、新規登録、修正、削除及び登録通知先一覧であり、これらのいずれかを入力手段５で選択することにより予め設定することができる。ここで、新規登録は、通知先を入力手段５で直接入力することで制御手段７に新規に設定することができる。修正は、登録されている通知先の一部又は全てを変更することができる。削除は、登録されている通知先の一部又は全てを削除することができる。登録通知先一覧は、制御手段７に登録されている通知先を表示手段６に全て表示することができる。
【００７７】
・車両用制御装置２の動作
次に、車両用制御装置２の動作について、図８〜図１４に示すフローチャートを用いて説明する。
【００７８】
図８において、制御手段７は、入力手段５から入力された起動信号を受信することで処理を開始する。制御手段７は、起動信号を受信すると無線タグ検出手段４に対して制御信号を送出し、無線タグ検出手段４が、通信可能範囲内にＲＦＩＤタグ２２が存在するか否かを検出する（ステップＳ１）。制御手段７は、無線タグ検出手段４からの出力信号がＲＦＩＤタグ２２の識別子であり、この出力信号が予め入力手段５にて設定されたＲＦＩＤタグ２２の識別子であれば（ステップＳ２、Ｙｅｓ）、機器管理手段８に対して温度センサ１０の測定温度を読み出す旨の信号を送出し、機器管理手段８が、温度センサ１０を制御して取得した測定温度を入力信号として取得する（ステップＳ３）。
【００７９】
一方、無線タグ検出手段４からの出力信号が通信可能範囲内にＲＦＩＤタグ２２が存在しないか、又は通信可能範囲内に存在するが入力手段５で設定されたＲＦＩＤタグ２２の識別子でないときは（ステップＳ２、Ｎｏ）、搭載機器の起動状態を初期設定に戻し（ステップＳ４）、再度、無線タグ検出手段４によるＲＦＩＤタグ２２の検出を行う（ステップＳ１）。ただし、搭載機器の起動状態を初期設定に戻す処理（ステップＳ４）を行った回数が、所定の回数（例えば、５００回）を超えた場合は、再度、無線タグ検出手段４によるＲＦＩＤタグ２２の検出を行わず、処理を終了する。
【００８０】
次に、制御手段７は、取得した測定温度と、検出したＲＦＩＤタグ２２の識別子に対して予め設定された設定温度とを比較し（ステップＳ５）、測定温度が設定温度を超えていれば（ステップＳ５、Ｙｅｓ）、機器管理手段８に対して開閉機器１３の窓等の開閉状態の情報を読み出す旨の信号を送出し、機器管理手段８が開閉機器１３から取得した開閉状態の情報を入力信号として取得する（ステップＳ６）。
【００８１】
一方、測定温度が設定温度を超えていなければ（ステップＳ５、Ｎｏ）、搭載機器の起動状態を初期設定に戻し（ステップＳ４）、再度、無線タグ検出手段４によるＲＦＩＤタグ２２の検出を行う（ステップＳ１）。ただし、前述した回数条件に該当する場合は、同様に処理を終了する。なお、予め制御手段７に温度が設定されていないときは、所定の温度（例えば、４０℃）を設定温度として、測定温度と比較する。また、ＲＦＩＤタグ２２を複数検出したときは、識別子毎の設定温度のうち、最も低い設定温度と測定温度とを比較する。
【００８２】
次に、制御手段７は、取得した窓等の開閉状態の情報が、全て閉状態であるか否かを判定する（ステップＳ７）。ステップＳ７は、窓等の開閉状態によって車内の温度が影響を受けるためのものである。具体的には、窓等の開閉状態が全て閉状態であれば、車内の換気が行えないため、車内の温度が上昇するおそれがあり、一方、窓等の開閉状態のいずれかが開状態であれば、車内の換気が行えるため、車内の温度が下がる可能性があると考えられるからである。
【００８３】
制御手段７は、窓等の開閉状態の情報が全て閉状態であるとき（ステップＳ７、Ｙｅｓ）、機器管理手段８に対して車速センサ９の車両速度を読み出す旨の信号を送出し、機器管理手段８が車速センサ９から取得した測定速度を入力信号として取得する（ステップＳ８）。
【００８４】
一方、窓等のいずれかが開状態であるとき、つまり全てが閉状態でないときは（ステップＳ７、Ｎｏ）、搭載機器の起動状態を初期設定に戻し（ステップＳ４）、再度、無線タグ検出手段４によるＲＦＩＤタグ２２の検出を行う（ステップＳ１）。ただし、前述した回数条件に該当する場合は、同様に処理を終了する。
【００８５】
次に、制御手段７は、取得した測定速度が、停止状態であるか否かを判定する（ステップＳ９）。ステップＳ９は、温度調節を行う搭載機器を操作できる人物が車内に存在するか否かによって、車内の温度が影響を受けるために行う処理である。具体的には、測定速度が停止状態であれば、温度調節を行う搭載機器を操作できる人物が車内に存在しないおそれがあるため、車内の温度がさらに上昇するおそれがあり、一方、停止状態でなければ、車両を運転する人物が少なくとも車内に存在するため、温度調節を行う搭載機器を操作することで、状態監視を必要とすることなく、車内の温度が下げられると考えられるからである。なお、停止状態であるか否かの判定は、エンジンが起動していないこと、エンジンを起動するためのキー（図示せず）が抜かれていること、又はパーキングブレーキ（図示せず）が作動していることにより判定してもよい。
【００８６】
図９に示すように、測定速度が停止状態であれば（ステップＳ９、Ｙｅｓ）、制御手段７は、保持するタイマー１１の起動情報からタイマー１１が起動中か否かを判定する（ステップＳ１０）。
【００８７】
一方、測定速度が０ではなく、つまり車両が停止状態でないときは（ステップＳ９、Ｎｏ）、搭載機器の起動状態を初期設定に戻し（ステップＳ４）、再度、無線タグ検出手段４によるＲＦＩＤタグ２２の検出を行う（ステップＳ１）。ただし、前述した回数条件に該当する場合は、同様に処理を終了する。
【００８８】
制御手段７は、タイマー１１が起動中でないとき（ステップＳ１０、Ｙｅｓ）、機器管理手段８に対してタイマー１１を起動する旨の信号を送出し、機器管理手段８がタイマー１１を起動する。そうすると、機器管理手段８は制御手段７に対してタイマー１１を起動した旨の信号を出力信号として送出し、制御手段７は、タイマー１１の起動情報を起動中に更新する（ステップＳ１１）。
【００８９】
一方、タイマー１１が、起動中であるとき（ステップＳ１０、Ｎｏ）、再度タイマー１１の起動は行わない。
【００９０】
次に、制御手段７は、機器管理手段８に対してタイマー１１の経過時間を読み出す旨の信号を送出し、機器管理手段８がタイマー１１から取得した経過時間を入力信号として取得する。そして、制御手段７は、取得した経過時間が予め制御手段７に設定された設定時間を経過しているか否かを判定する（ステップＳ１２）。ステップＳ１２は、温度調節を行う搭載機器を操作できる人物が車両から一旦離れていても、戻って来ることが予め判っている場合や、ステップＳ９で信号待ち等により停止状態と判定した場合に、設定時間内は不必要な異常回避のための処理を行わないようにするためのものである。
【００９１】
制御手段７は、タイマー１１から取得した経過時間が予め制御手段７に設定された設定時間を経過しているとき（ステップＳ１２、Ｙｅｓ）、機器管理手段８に対してタイマー１１を停止し、且つ経過時間をクリアする旨の信号を送出し、機器管理手段８がタイマー１１の停止且つ経過時間のクリアを行う。そうすると、機器管理手段８は、制御手段７に対してタイマー１１の停止且つ経過時間のクリアを行った旨の信号を出力信号として送出し、制御手段７は、タイマー１１の起動情報を停止中に更新する（ステップＳ１３）。
【００９２】
一方、経過時間が予め制御手段７に設定された設定時間を経過していないとき（ステップＳ１２、Ｎｏ）、再度、無線タグ検出手段４によるＲＦＩＤタグ２２の検出を行う（ステップＳ１）。なお、予め制御手段７に設定時間が設定されていないときは、所定の時間（例えば、１０分）を設定時間として、経過時間と比較する。
【００９３】
次に、図１０において、制御手段７は、機器管理手段８に対してエンジン制御機器２１を起動する旨の信号を送出し、機器管理手段８がエンジンを起動する。そうすると、機器管理手段８は、制御手段７に対してエンジンを起動した旨の信号を出力信号として送出し、制御手段７は、エンジンの起動情報を起動中に更新する（ステップＳ１４）。また、エアコン１２を起動する旨の信号を送出し、機器管理手段８がエアコン１２を起動して車内の温度調節を行う。そうすると、機器管理手段８は、制御手段７に対してエアコン１２を起動した旨の信号を出力信号として送出し、制御手段７は、エアコン１２の起動情報を起動中に更新する（ステップＳ１５）。ここで、再度、無線タグ検出手段４に対して制御信号を送出して、通信可能範囲内にＲＦＩＤタグ２２が存在するか否かを検出する（ステップＳ１）。
【００９４】
以降、図８及び図９に示すステップＳ２〜Ｓ５及びステップＳ１０〜Ｓ１１と同じ動作を行う。
【００９５】
次に、タイマー１１の経過時間が所定の時間（例えば、５分）を経過しているか否かを判定する（ステップＳ１６）。制御手段７は、機器管理手段８に対してタイマー１１の経過時間を読み出す旨の信号を送出し、機器管理手段８がタイマー１１から取得した経過時間を入力信号として取得する。制御手段７は、経過時間が所定の時間を経過しているとき（ステップＳ１６、Ｙｅｓ）、機器管理手段８に対してタイマー１１を停止し、且つ経過時間をクリアする旨の信号を送出し、機器管理手段８がタイマー１１の停止且つ経過時間のクリアを行う。そうすると、機器管理手段８は、制御手段７に対してタイマー１１の停止且つ経過時間のクリアを行った旨の信号を出力信号として送出し、制御手段７はタイマー１１の起動情報を停止中に更新する（ステップＳ１３）。
【００９６】
一方、経過時間が所定の時間を経過していないとき（ステップＳ１６、Ｎｏ）、再度、無線タグ検出手段４によるＲＦＩＤタグ２２の検出を行う（ステップＳ１）。
【００９７】
次に、図１１において、制御手段７は、機器管理手段８に対して窓等のロックを開錠する旨の信号を送出し、機器管理手段８がロック機器１４を制御して窓等のロックを開錠する。そうすると、機器管理手段８は、制御手段７に対してロックを開錠した旨の信号を出力信号として送出し、制御手段７は、ロック情報を開錠中に更新する。また、窓等を開放する旨の信号を送出することにより、機器管理手段８が開放機器１３を制御して窓等を開放して車内の温度調節を行う。そうすると、機器管理手段８は、制御手段７に対して開放した旨の信号を出力信号として送出し、制御手段７は、開閉情報を開放中に更新する（ステップＳ１７）。ここで、再度、無線タグ検出手段４に対して制御信号を送出して、通信可能範囲内にＲＦＩＤタグ２２が存在するか否かを検出する（ステップＳ１）。
【００９８】
以降、図８、図９及び図１０に示すステップＳ２〜Ｓ５、ステップＳ１０〜Ｓ１１、ステップＳ１３及びステップＳ１６と同じ動作を行う。
【００９９】
次に、図１２において、制御手段７は、機器管理手段８に対してライト１５を点滅する旨の信号を送出し、機器管理手段８がライト１５を点滅させる。そうすると、機器管理手段８は、制御手段７に対して点滅した旨の信号を出力信号として送出し、制御手段７は、ライト情報を点滅中に更新する。また、クラクション１６を鳴動する旨の信号を送出し、機器管理手段８がクラクション１６を鳴動させる。そうすると、機器管理手段８は、制御手段７に対して鳴動した旨の信号を出力信号として送出し、制御手段７は、クラクション情報を鳴動中に更新する。（ステップＳ１８）。ここで、再度、無線タグ検出手段４に対して制御信号を送出して、通信可能範囲内にＲＦＩＤタグ２２が存在するか否かを検出する（ステップＳ１）。ステップＳ１８は、車内の温度調節を行う搭載機器が故障等により起動しない場合等があると考えられるため、外部へ救助を求めるためのものである。
【０１００】
以降、図８、図９及び図１０に示すステップＳ２〜Ｓ５、ステップＳ１０〜Ｓ１１、ステップＳ１３及びステップＳ１６と同じ動作を行う。
【０１０１】
次に、図１３において、制御手段７は、機器管理手段８に対してカメラ１７で撮影する旨の信号を送出し、機器管理手段８がカメラ１７を制御して取得した映像情報を入力信号として取得する。また、マイクロホン１８で録音する旨の信号を送出し、機器管理手段８がマイクロホン１８を制御して取得した音声情報を入力信号として取得する。加えて、ＧＰＳ機器１９で位置情報を取得する旨の信号を送出し、機器管理手段８がＧＰＳ機器１９を制御して取得した現在地情報を入力信号として取得する（ステップＳ１９）。
【０１０２】
次に、機器管理手段８に対して情報通信機器２０で測定温度、ＲＦＩＤタグ２２の識別子、車内の映像情報、音声情報及び現在地情報を予め制御手段７に設定された通知先に送信する旨の信号を送出し、機器管理手段８が情報通信機器２０に各種情報を設定して、情報通信機器２０が通知先に送信する（ステップＳ２０）。通知先が複数設定されているときは、送信処理を全ての通知先に対して行う。なお、予め通知先が設定されていないときは、警察及び消防を通知先として通知する。ここで、再度、無線タグ検出手段４に対して制御信号を送出して、通信可能範囲内にＲＦＩＤタグ２２が存在するか否かを検出する（ステップＳ１）。ステップＳ２０は、車両の周囲に救助者が存在しない場合等があると考えられるため、予め設定された通知先へ、車内が温度上昇による異常環境であることを通知し、救助を求めるためのものである。
【０１０３】
以降、図８に示すステップＳ２〜Ｓ５と同じ動作を行う。
【０１０４】
次に、図１４に示すフローチャートを用いて、制御手段７が搭載機器の起動状態を初期設定に戻す処理について説明する。
【０１０５】
制御手段７は、管理するクラクション情報が鳴動中であるか否かを判定し（ステップＳ２１）、鳴動中であれば（ステップＳ２１、Ｙｅｓ）、機器管理手段８に対してクラクション１６を停止する旨の信号を送出して、機器管理手段８がクラクション１６を制御して鳴動を停止する。また、制御手段７は、クラクション情報を停止中に更新する（ステップＳ２２）。一方、鳴動中でなければ（ステップＳ２１、Ｎｏ）、何も処理を行わない。
【０１０６】
次に、制御手段７は、管理するライト情報が点滅中であるか否かを判定し（ステップＳ２３）、点滅中であれば（ステップＳ２３、Ｙｅｓ）、機器管理手段８に対してライト１５を停止する旨の信号を送出して、機器管理手段８がライト１５を制御して点滅を停止する。また、制御手段７は、ライト情報を停止中に更新する（ステップＳ２４）。一方、点滅中でなければ（ステップＳ２３、Ｎｏ）、何も処理は行わない。
【０１０７】
次に、制御手段７は、管理する開閉情報が開放中であるか否かを判定し（ステップＳ２５）、開放中であれば（ステップＳ２５、Ｙｅｓ）、機器管理手段８に対して窓等を閉鎖する旨の信号を送出して、機器管理手段８が開閉機器１３を制御して閉鎖する。また、制御手段７は、開閉情報を閉鎖中に更新する（ステップＳ２６）。一方、開放中でなければ（ステップＳ２５、Ｎｏ）、何も処理は行わない。
【０１０８】
次に、制御手段７は、管理するロック情報が開錠中であるか否かを判定し（ステップＳ２７）、開錠中であれば（ステップＳ２７、Ｙｅｓ）、機器管理手段８に対して窓等を施錠する旨の信号を送出して、機器管理手段８がロック機器１４を制御して施錠する。また、制御手段７は、ロック情報を施錠中に更新する（ステップＳ２８）。一方、開錠中でなければ（ステップＳ２７、Ｎｏ）、何も処理は行わない。
【０１０９】
次に、制御手段７は、管理するエアコン１２の起動情報が起動中であるか否かを判定し（ステップＳ２９）、起動中であれば（ステップＳ２９、Ｙｅｓ）、機器管理手段８に対してエアコン１２を停止する旨の信号を送出して、機器管理手段８がエアコン１２を制御して停止する。また、制御手段７は、エアコン１２の起動情報を停止中に更新する（ステップＳ３０）。一方、起動中でなければ（ステップＳ２９、Ｎｏ）、何も処理は行わない。
【０１１０】
次に、制御手段７は、管理するエンジン制御機器２１の起動情報が起動中であるか否かを判定し（ステップＳ３１）、起動中であれば（ステップＳ３１、Ｙｅｓ）、機器管理手段８に対してエンジンを停止する旨の信号を送出して、機器管理手段８がエンジン制御機器２１を制御してエンジンを停止する。また、制御手段７は、エンジンの起動情報を停止中に更新する（ステップＳ３２）。一方、起動中でなければ（ステップＳ３１、Ｎｏ）、何も処理は行わない。
【０１１１】
次に、制御手段７は、管理するタイマー１１の起動情報が起動中であるか否かを判定し（ステップＳ３３）、起動中であれば（ステップＳ３３、Ｙｅｓ）、機器管理手段８に対してタイマー１１を停止し、且つ経過時間をクリアする旨の信号を送出し、機器管理手段８がタイマー１１の停止且つ経過時間のクリアを行う。また、制御手段７は、タイマー１１の起動情報を停止中に更新する（ステップＳ３４）。一方、起動中でなければ、何も処理は行わない。
【０１１２】
以上のように本発明の実施の形態１の車両用制御システム１によれば、幼児等が車内に放置されても、幼児等に保持させたＲＦＩＤタグ２２の識別子を無線タグ検出手段４が検出し、且つ車内の温度に異常があれば、制御手段７が機器管理手段８を制御することで、車内の温度上昇に起因して発生する人身事故を防止することができる。
【０１１３】
（実施の形態２）
本発明の実施の形態２は、車両用制御システムに車両用制御装置を組み込んだ携帯電話を備えた場合を例として説明する。
【０１１４】
図１５に示すように、本発明の実施の形態２の車両用制御システム１は、携帯電話２３、車両側装置３及びＲＦＩＤタグ２２から構成されている。ここで、携帯電話２３及び車両側装置３は、自動車等の車両に備えられているものとする。
【０１１５】
携帯電話２３は、車両用制御装置２、カメラ１７、マイクロホン１８、ＧＰＳ機器１９及び情報通信機器２０から構成されている。
【０１１６】
車両用制御装置２は、無線タグ検出手段４、入力手段５、表示手段６及び制御手段７から構成されている。また、車両側装置３は、機器管理手段８、車速センサ９、温度センサ１０、タイマー１１、エアコン１２、開閉機器１３、ロック機器１４、ライト１５、クラクション１６及びエンジン制御機器２１から構成されている。
【０１１７】
一方、車内に存在する幼児等の物体（図示せず）は、ＲＦＩＤタグ２２を保持している。
【０１１８】
本実施の形態２は、実施の形態１と異なり、無線タグ検出手段４、入力手段５、表示手段６、制御手段７、カメラ１７、マイクロホン１８、ＧＰＳ機器１９及び情報通信機器２０が携帯電話２３に組み込まれている。なお、入力手段５は、携帯電話２３の操作ボタン等であり、表示手段６は、携帯電話２３のディスプレイ等である。
【０１１９】
次に、図１３に示すフローチャートを用いて、本実施の形態２の車両用制御装置２の動作について説明する。
【０１２０】
本実施の形態２において、入力手段５と表示手段６を用いて制御手段７にＲＦＩＤタグ２２の識別子、異常温度、異常回避のための処理を行うまでの時間及び無線通信により通知を行う通知先を設定する方法、さらに搭載機器の起動状態を初期設定に戻す処理を行った回数により、処理を終了する方法については上記実施の形態１と同様である。よって、重複した説明は省略する。
【０１２１】
本実施の形態２では、上記実施の形態１と異なり、以下のように動作を行う。
【０１２２】
図１３において、制御手段７は、カメラ１７に対して撮影する旨の信号を送出し、カメラ１７が撮影した映像情報を入力信号として取得する。また、マイクロホン１８に対して録音する旨の信号を送出し、マイクロホン１８が録音した音声情報を入力信号として取得する。加えて、ＧＰＳ機器１９に対して位置情報を取得する旨の信号を送出し、ＧＰＳ機器１９が取得した現在地情報を入力信号として取得する（ステップＳ１９）。
【０１２３】
次に、制御手段７は、情報通信機器２０に対して測定温度、ＲＦＩＤタグ２２の識別子、車内の映像情報、音声情報及び現在地情報を予め制御手段７に設定された通知先に送信する旨の信号を送出し、情報通信機器２０が通知先に各種情報を送信する（ステップＳ２０）。通知先が複数設定されているとき及び予め通知先が設定されていないときは、上記実施の形態１と同様に処理を行う。
【０１２４】
以上のように本発明の実施の形態２の車両用制御システム１によれば、携帯電話２３は、車両側装置３と連携し、且つ携帯電話２３内に元々組み込まれているカメラ１７、マイクロホン１８、ＧＰＳ機器１９及び情報通信機器２０の搭載機器を活用することで、幼児等が車内に放置されたときに、幼児等に保持させたＲＦＩＤタグ２２の識別子を無線タグ検出手段４が検出し、且つ車内の温度が異常であれば、制御手段７が携帯電話２３の搭載機器と車両側装置３の搭載機器を制御することで、車内の温度上昇に起因して発生する人身事故を防止することができる。
【０１２５】
なお、本発明は、携帯電話以外のカーナビゲーション等の電子機器でも実施できる。この場合、カーナビゲーションが使用しているＧＰＳ機能や音声入力機能を利用することができる。
【０１２６】
なお、上記した各実施の形態では、車内の温度上昇に起因して発生する人身事故を防止する場合について説明したが、人物ばかりでなく、愛玩動物、物品等についても同様にして事故を防止することができる。例えば、物品が、ライターやスプレー缶等の場合、温度上昇に起因して破裂し、車両火災を招いたり、車内を汚したりするおそれがある。また、物品が、プラスチック製品等の場合、温度上昇に起因して変形するおそれがある。本発明の車両用制御システムによれば、このような物品に備えた無線タグを検出し、破裂又は変形を未然に防止することができる。
【産業上の利用可能性】
【０１２７】
以上のように、本発明にかかる車両用制御装置、車両用制御システム、車両用制御方法及び電子機器は、人物の着座位置等や、着座した人物の体重等の影響を受けることなく、人身事故等を十分に防止することができるという効果を有し、車両用制御装置、車両用制御システム、車両用制御方法及び電子機器等として有用である。
【図面の簡単な説明】
【０１２８】
【図１】本発明の実施の形態１における車両用制御システムの構成を示すブロック図
【図２】車両用制御装置の設定項目の画面例を示す図
【図３】車両用制御装置のＲＦＩＤタグ識別子登録の画面例を示す図
【図４】車両用制御装置のＲＦＩＤタグ識別子新規登録の画面例を示す図
【図５】車両用制御装置の温度設定の画面例を示す図
【図６】車両用制御装置の時間設定の画面例を示す図
【図７】車両用制御装置の通知先設定の画面例を示す図
【図８】本発明の実施の形態１における車両用制御システムの処理手順を示すフローチャート
【図９】本発明の実施の形態１における車両用制御システムの処理手順を示すフローチャート
【図１０】本発明の実施の形態１における車両用制御システムの処理手順を示すフローチャート
【図１１】本発明の実施の形態１における車両用制御システムの処理手順を示すフローチャート
【図１２】本発明の実施の形態１における車両用制御システムの処理手順を示すフローチャート
【図１３】本発明の実施の形態１及び実施の形態２における車両用制御システムの処理手順を示すフローチャート
【図１４】本発明の実施の形態１における車両用制御システムの処理手順を示すフローチャート
【図１５】本発明の実施の形態２における車両用制御システムの構成を示すブロック図
【符号の説明】
【０１２９】
１  車両用制御システム
２  車両用制御装置
３  車両側装置
４  無線タグ検出手段
５  入力手段
６  表示手段
７  制御手段
８  機器管理手段
９  車速センサ
１０  温度センサ
１１  タイマー
１２  エアコン
１３  開閉機器
１４  ロック機器
１５  ライト
１６  クラクション
１７  カメラ
１８  マイクロホン
１９  ＧＰＳ機器
２０  情報通信機器
２１  エンジン制御機器
２２  ＲＦＩＤタグ
２３  携帯電話
６１  メニュー画面
【図１】
2006224894.tif 000003
【図２】
2006224894.tif 000004
【図３】
2006224894.tif 000005
【図４】
2006224894.tif 000006
【図５】
2006224894.tif 000007
【図６】
2006224894.tif 000008
【図７】
2006224894.tif 000009
【図８】
2006224894.tif 000010
【図９】
2006224894.tif 000011
【図１０】
2006224894.tif 000012
【図１１】
2006224894.tif 000013
【図１２】
2006224894.tif 000014
【図１３】
2006224894.tif 000015
【図１４】
2006224894.tif 000016
【図１５】
2006224894.tif 000017